(57)【要約】【課題】カバー部材の上面にセンサ窓を設ける構成において、センサ窓を取り付ける部分に、ゴミが溜まることを抑制できるフラッシュバルブ装置を提供すること。【解決手段】フラッシュバルブ装置１は、上方に向けて光を出射するセンサ４２１と、センサ４２１を覆うように配置される筒状のカバー本体５１であって、センサ４２１の上方に配置される上面板５１１を有するカバー本体５１と、センサ４２１のセンサ窓としての機能を有し、カバー本体５１の上面板５１１の上面５１１ａの全部を覆って配置される上面パネル５２と、を備える。【選択図】図４
2019190195.tif 000002
【特許請求の範囲】
【請求項１】
上方に向けて光を出射するセンサと、
前記センサを覆うように配置される筒状のカバー本体であって、前記センサの上方に配置される上面板を有するカバー本体と、
前記センサのセンサ窓としての機能を有し、前記カバー本体の上面板の上面の全部を覆って配置される上面パネルと、を備えるフラッシュバルブ装置。
【請求項２】
前記上面パネルの下面には、前記カバー本体と係合する係合部が形成される請求項１に記載のフラッシュバルブ装置。
【請求項３】
前記カバー本体の上面板には、孔が形成され、
前記係合部は、前記上面パネルの下面から前記孔を通って下方に延出する延出部と、前記延出部の下端に形成され前記カバー本体の上面板の下面に引っ掛かる爪と、を有する請求項２に記載のフラッシュバルブ装置。
【請求項４】
前記上面パネルの上面には、表示部が設けられ、
前記表示部は、平面視で、前記センサを構成する発光部及び受光部に対してずれた位置に配置される請求項１〜３のいずれか１項に記載のフラッシュバルブ装置。
【発明の詳細な説明】
【技術分野】
【０００１】
本発明は、フラッシュバルブ装置に関する。
【背景技術】
【０００２】
従来、カバー部材の内部の上方側に手かざし用のセンサ（センサ）が配置され、カバー部材の上面にセンサ窓を設けたフラッシュバルブ装置が知られている（例えば、特許文献１参照）。特許文献１に記載のフラッシュバルブ装置においては、カバー部材の上面の一部にセンサ窓を設けている。
【先行技術文献】
【特許文献】
【０００３】
【特許文献１】特開２００６−２８３３５３号公報
【発明の概要】
【発明が解決しようとする課題】
【０００４】
カバー部材の上面の一部にセンサ窓を備えるフラッシュバルブ装置は、センサ窓を取り付けるカバー部材の上面の部分において、センサ窓とカバー部材の上面との間にゴミが溜まることがある。
【０００５】
本発明は、カバー部材の上面にセンサ窓を設ける構成において、センサ窓を取り付ける部分に、ゴミが溜まることを抑制できるフラッシュバルブ装置を提供することを目的とする。
【課題を解決するための手段】
【０００６】
本発明は、上方に向けて光を出射するセンサ（例えば、後述の手かざし用センサ４２１）と、前記センサを覆うように配置される筒状のカバー本体（例えば、後述のカバー本体５１）であって、前記センサの上方に配置される上面板を有するカバー本体と、前記センサのセンサ窓としての機能を有し、前記カバー本体の上面板（例えば、後述の上面板５１１）の上面（例えば、後述の上面５１１ａ）の全部を覆って配置される上面パネル（例えば、後述のセンサ窓天面板５２）と、を備えるフラッシュバルブ装置（例えば、後述のフラッシュバルブ装置１）に関する。
【０００７】
また、前記上面パネルの下面（例えば、後述する下面５２ｂ）には、前記カバー本体と係合する係合部（例えば、後述する下面係合部５２２）が形成されることが好ましい。
【０００８】
また、前記カバー本体の上面板には、孔（例えば、後述の爪係合溝孔５１６）が形成され、前記係合部は、前記上面パネルの下面から前記孔を通って下方に延出する延出部（例えば、後述の延出部５２２ａ）と、前記延出部の下端に形成され前記カバー本体の上面板の下面（例えば、後述の下面５１１ｂ）に引っ掛かる爪（例えば、後述の下端係合爪部５２２ｂ）と、を有することが好ましい。
【０００９】
また、前記上面パネルの上面（例えば、後述する上面５２ａ）には、表示部（例えば、後述の操作情報５２１ａ）が設けられ、前記表示部は、平面視で、前記センサを構成する発光部（例えば、後述の発光素子４２１ａ）及び受光部（例えば、後述の受光素子４２１ｂ）に対してずれた位置に配置されることが好ましい。
【発明の効果】
【００１０】
本発明によれば、カバー部材の上面にセンサ窓を設ける構成において、センサ窓を取り付ける部分に、ゴミが溜まることを抑制できるフラッシュバルブ装置を提供することができる。
【図面の簡単な説明】
【００１１】
【図１】本発明の一実施形態に係るフラッシュバルブ装置の全体斜視図である。
【図２】本実施形態のフラッシュバルブ装置からカバー部材を外した状態を示す斜視図である。
【図３】ブラケット及びコントローラユニットを示す斜視図である。
【図４】カバー部材からセンサ窓天面板を取り外した状態を示す斜視図である。
【図５】センサ窓天面板の上面の操作情報と手かざし用センサの位置関係を示すセンサ窓天面板の正面図である。
【図６】センサ窓天面板の下面係合部を示す斜視図である。
【図７】図５のＡ−Ａ線断面図であって、カバー部材とセンサ窓天面板との係合状態を示す断面図である。
【発明を実施するための形態】
【００１２】
以下、本発明の実施形態について図面を参照しながら説明する。なお、本発明は以下の実施形態に限定されるものではない。図１は、本発明の一実施形態に係るフラッシュバルブ装置１の全体斜視図である。図２は、本実施形態のフラッシュバルブ装置１からカバー部材５を外した状態を示す斜視図である。図３は、ブラケット３及びコントローラユニット４を示す斜視図である。図４は、カバー部材５からセンサ窓天面板５２を取り外した状態を示す斜視図である。図５は、センサ窓天面板５２の上面５２ａの操作情報５２１ａと手かざし用センサ４２１の位置関係を示すセンサ窓天面板５２の正面図である。図６は、センサ窓天面板５２の下面係合部５２２を示す斜視図である。図７は、図５のＡ−Ａ線断面図であって、カバー部材５とセンサ窓天面板５２との係合状態を示す断面図である。
【００１３】
なお、本実施形態においては、図１及び図２におけるフラッシュバルブ装置１のカバー本体５１の前面に設けられたセンサ窓５４に対面した場合において、フラッシュバルブ装置１の前後の向きを前後方向ともいう。また、前後方向において、手前側を前側ともいい、奥側を後側ともいう。また、図１におけるフラッシュバルブ装置１のカバー本体５１の前面に設けられたセンサ窓５４に対面した場合において、フラッシュバルブ装置１の左右の向きを左右方向ともいう。また、左右方向において、図１におけるフラッシュバルブ装置１に対面した場合において、左手前側を左側（一方側）ともいい、右奥側を右側（他方側）ともいう。
【００１４】
図１及び図２に示すように、フラッシュバルブ装置１は、バルブユニット２と、ブラケット３と、コントローラユニット４と、カバー部材５と、を備える。バルブユニット２、ブラケット３及びコントローラユニット４は、下方側から上方側に向けてこの順で、カバー部材５の内部に配置される。
【００１５】
バルブユニット２は、図２に示すように、カバー部材５の内部の下方側に配置される。バルブユニット２は、バルブ本体２１と、継手管１１を介して止水栓１２に接続される給水側接続口２２と、操作ボタン２３と、排水側接続口２４と、を備える。バルブユニット２の上方側のフランジ部２５には、ブラケット３（後述）が接続されている。
【００１６】
バルブユニット２の底部には、コ字形状の底プレート２６が固定されている。底プレート２６は、カバー部材５（後述）の底面の開口をカバー部材５の内側で閉鎖する本体部２６１と、本体部２６１の左右方向の両端に形成される起立部２６２と、を有する。
【００１７】
給水側接続口２２は、左側の側面から側方に突出する筒状に形成され、継手管１１が接続されている。継手管１１は、バルブユニット２の左側面の給水側接続口２２から左方に延び、継手管１１には、止水栓１２が接続されている。
【００１８】
操作ボタン２３は、押ボタン式のボタンであり、フラッシュバルブ装置１の右側面から、右方に突出する。操作ボタン２３は、停電時等の非常時において、左向きに押込操作することで、バルブユニット２の弁部を開いて、便器の洗浄水を流出させる。
【００１９】
排水側接続口２４は、バルブユニット２の底部に設けられる。排水側接続口２４は、排水用配管の接続口であり、排水側接続口２４には、排水用配管の一部を構成する継手管１３が下向きに突出する状態で接続されている。
【００２０】
ブラケット３は、図２に示すように、バルブユニット２とコントローラユニット４との間に配置され、バルブユニット２の上方側のフランジ部２５に接続されると共に、コントローラユニット４を支持する。ブラケット３は、図３に示すように、ブラケット本体３１と、ブラケット本体３１の上面から上方側に延出する一対の延出係合部３２と、ブラケット本体３１の下部において側方に水平に突出する４つの下部固定用突出板部３３と、左右方向の左側（一方側）に形成される立ち上がり押し当て部３４と、左右方向の右側（他方側）に形成される立ち上がり固定部３５と、を有する。
【００２１】
ブラケット本体３１は、図３に示すように、周壁部３１１と、開口３１２ａを有する上面部３１２と、を備える。ブラケット本体３１の上方側には、一対の延出係合部３２にコントローラユニット４が係合した状態で配置される。
【００２２】
一対の延出係合部３２は、図３に示すように、ブラケット本体３１の上面部３１２の前側において左右方向の端部側に離間して配置される。一対の延出係合部３２は、それぞれ、ブラケット本体３１の上面から上方に延びる延出部３２１と、延出部３２１の上端に形成される係合爪部３２２と、を有する。係合爪部３２２は、延出部３２１の上端において、上方側から下方側に向かうに従って内側に向かうように傾斜して内側に突出して形成される。延出係合部３２には、コントローラユニット４のコントローラ本体４１のコントローラケース４１１の一対の係合溝４１１ａ（後述）が係合される。
【００２３】
４つの下部固定用突出板部３３は、図３に示すように、ブラケット３の下端部において、側方に突出する。４つの下部固定用突出板部３３には、それぞれ、Ｕ字状の切り欠き３３１が設けられる。Ｕ字状の切り欠き３３１は、いずれも、右向きに開口するように形成されている。切り欠き３３１には、バルブユニット２（図２参照）の上方側に形成されるフランジ部２５に螺合される固定ネジ２５１（図２参照）が挿通される。図２に示すように、ブラケット３は、固定ネジ２５１の軸部を、Ｕ字状の切り欠き３３１に挿通させ、その状態で固定ネジ２５１を、フランジ部２５（図２参照）に下向きに締め込むことによって、バルブユニット２の上方側に固定される。
【００２４】
立ち上がり押し当て部３４は、図３に示すように、ブラケット３の左右方向の左側において、ブラケット本体３１の上面から立ち上がる。立ち上がり押し当て部３４には、ゴム材３４１（緩衝部材）が水平方向に巻き付けて配置される。立ち上がり押し当て部３４は、カバー部材５が被された場合に、カバー部材５の左側の側板の内面側に押し付けられ、ゴム材３４１は、カバー部材５の左側の側板の内面に押し当てられる。
【００２５】
立ち上がり固定部３５は、ブラケット３の左右方向の右側において、ブラケット本体３１の上面部３１２から立ち上がる。立ち上がり固定部３５には、左右方向に貫通するネジ孔３５１が形成される。
【００２６】
カバー部材５が被された状態において、カバー部材５をブラケット３に固定する場合には、立ち上がり押し当て部３４に巻き付けられたゴム材３４１をカバー部材５の左側の側板の内面に押し当てた状態で、固定ネジ５３を、カバー部材５の左側の側面に形成されたネジ挿通孔５１５（図２参照、後述）に挿通してブラケット３の立ち上がり固定部３５のネジ孔３５１に螺合する。これにより、カバー部材５は、ブラケット３に固定される。
【００２７】
このように、カバー部材５を被せた状態においては、カバー部材５の左側においてゴム材３４１が押し当られた状態で、カバー部材５の右側の固定部３５において固定ネジ５３によりネジ固定できるため、カバー部材５のガタツキを防止できる。本実施形態においては、カバー部材５をブラケット３に固定する場合に、カバー部材５の右側の片方側のみを固定ネジ５３でネジ止めすればよいため、カバー部材５の左右方向の両側でネジ止めする場合よりも、作業性を向上させることができる。また、立ち上がり固定部３５をブラケット３の右側に設けたため、右利きの作業者は固定ネジ５３のネジ固定の作業を容易に行うことができる。
【００２８】
なお、ブラケット３において、立ち上がり押し当て部３４及び立ち上がり固定部３５を本実施形態とは左右方向において互いに逆側に設けてもよい。つまり、ブラケット３において、立ち上がり押し当て部３４を右側に設けると共に、立ち上がり固定部３５を左側に設けてもよい。
【００２９】
コントローラユニット４は、図３に示すように、カバー部材５の内部の上方側に配置されている。コントローラユニット４は、ブラケット３の上方側に取り付けられる。コントローラユニット４は、コントローラ本体４１と、センサユニット４２と、を有する。センサユニット４２は、コントローラ本体４１の上部に載置され、コントローラ本体４１は、ブラケット３によって支持されている。
【００３０】
コントローラ本体４１は、コントローラケース４１１を有し、コントローラケース４１１の内部に、正面の人体を検知するための人体検知センサ４１２と、制御部（図示せず）と、が配置される。人体検知センサ４１２は、フラッシュバルブ装置１の正面側の人体（使用者）を検知する。制御部は、人体検知センサ４１２により検知された検知時間の長短に応じて大便か小便かを判断し、これに応じて便器洗浄水の流出量を制御する。
【００３１】
コントローラケース４１１の左右方向の両側の側面には、一対の係合溝４１１ａが形成される。一対の係合溝４１１ａは、コントローラケース４１１の左右方向の両方の側面において、前後方向に延びて窪んだ凹溝状に形成される。一対の係合溝４１１ａには、コントローラ本体４１がブラケット３に取り付けられる際に、ブラケット３の一対の延出係合部３２の係合爪部３２２が係合される。
【００３２】
センサユニット４２は、コントローラ本体４１とは別体で構成され、コントローラ本体４１の上部に固定された取付プレート４５に支持されている。センサユニット４２は、図３に示すように、センサケース体４２５を有する。センサケース体４２５の内部には、手かざし用センサ４２１（センサ）が配置される。手かざし用センサ４２１は、カバー本体５１の内部において、上方側に配置される。
【００３３】
取付プレート４５は、基端が、固定ネジ４５１によりコントローラ本体４１の上部に固定され、他端には、軸部の長いセンサユニット側ネジ４５２が螺合されている。
【００３４】
センサユニット側ネジ４５２は、上端部に頭部４５２ａを有し、頭部４５２ａから下方に延びる軸部４５２ｂが、センサユニット４２の左右方向の両側から側方に突出して設けられたボス部４２ａの挿通孔に挿通される。センサユニット側ネジ４５２の軸部４５２ｂには、コイルスプリング４５３が挿通される。コイルスプリング４５３は、センサユニット４２のボス部４２ａと取付プレート４５との間において、センサユニット４２に対して上向きに付勢力を発揮している。センサユニット４２は、コイルスプリング４５３により、下方側から弾性支持されている。
【００３５】
センサケース体４２５は、センサケース本体４２５ａと、センサケース本体４２５ａの上面から突出するセンサケース突出部分４２５ｂと、を有する。センサケース突出部分４２５ｂは、センサケース体４２５の左右方向の左側にずれた位置に配置される。
【００３６】
センサケース突出部分４２５ｂにおいて、手かざし用センサ４２１に対応した部分は、透光性の材料で構成されており、且つ、その上面は、フラッシュバルブ装置１の左右方向の中央側に向けて斜め下向きに傾斜した面状に形成されている。センサケース突出部分４２５ｂの内部には、センサケース体４２５における左右方向の左側にずれた位置において、手かざし用センサ４２１が、センサケース突出部分４２５ｂの傾斜に沿って傾斜して配置される基板（図示せず）に配置される。
【００３７】
本実施形態においては、手かざし用センサ４２１は、センサ窓天面板５２における左右方向の中央よりも左側において、発光素子４２１ａ（発光部）及び受光素子４２１ｂ（受光部）が前後方向に並ぶことで構成されている。手かざし用センサ４２１は、手かざし用センサ４２１を構成する発光素子４２１ａ及び受光素子４２１ｂの光軸が、センサユニット４２の左右方向の中央側の上方を向いて配置される。発光素子４２１ａは、上方に向けて光を出射する。受光素子４２１ｂは、発光素子４２１ａに出射されて手に反射された反射光を受光する。
【００３８】
このように配置されることで、発光素子４２１ａは、後述するセンサ窓天面板５２の操作情報５２１ａの表示の位置から、センサケース体４２５の左右方向の左側にずれた位置において、操作情報５２１ａの上方にかざされた手に光を照射可能なように、操作情報５２１ａの上方に向かって斜め方向に光を照射するように傾けられて配置される。また、受光素子４２１ｂは、操作情報５２１ａの上方にかざされた手に反射された反射光を受光可能なように、操作情報５２１ａの上方にかざされた手に反射された反射光を受光可能に斜けられて配置される。
【００３９】
カバー部材５は、図２に示すように、バルブユニット２、ブラケット３及びコントローラユニット４を覆って被されている。カバー部材５は、図４に示すように、カバー本体５１と、センサ窓天面板５２（上面パネル）と、を有する。
【００４０】
カバー本体５１は、図４に示すように、上面板５１１を有して底面が開口した略方形筒状に形成されている。上面板５１１は、板状に形成され、平面視で（上方側から視た場合に）略長方形状に形成されると共に、四隅が円弧状に形成されている。カバー本体５１は、手かざし用センサ４２１を覆うように配置される。上面板５１１は、手かざし用センサ４２１の上方に配置される。
【００４１】
カバー本体５１は、図２に示すように、バルブユニット２、ブラケット３及びコントローラユニット４に対して、上方側から被せられて、バルブユニット２、ブラケット３及びコントローラユニット４の全体を外側から覆っている。
【００４２】
カバー本体５１は、図２及び図４に示すように、前面に形成される前面開口部５１２と、上面板５１１に形成される上面開口部５１３と、左右の側面に形成される一対の切り欠き５１４と、左右方向の右側の側面に形成されるネジ挿通孔５１５と、上面板５１１に形成される４つの爪係合溝孔５１６（孔）と、を有する。
【００４３】
前面開口部５１２は、図４に示すように、カバー本体５１の前面において、人体検知センサ４１２（図３参照）に対応した位置に開口しており、前面開口部５１２には、センサ窓５４が取り付けられている。
上面開口部５１３は、カバー本体５１の上面板５１１において、手かざし用センサ４２１（図３参照）に対応した位置に開口している。
【００４４】
一対の切り欠き５１４は、図２に示すように、カバー本体５１の左右の側面の下端に、それぞれ、Ｕ字状に切り欠かれて形成される。
【００４５】
ネジ挿通孔５１５は、図２に示すように、左右方向の右側の側面を貫通して形成される。ネジ挿通孔５１５は、カバー部材５が被された状態において、カバー部材５をブラケット３に固定する際に、ブラケット３の立ち上がり固定部３５のネジ孔３５１に螺合される固定ネジ５３が挿入される。つまり、カバー本体５１は、図２に示すように、左右方向の右側の側面のネジ挿通孔５１５において、固定ネジ５３により、ブラケット３に固定されている。
【００４６】
４つの爪係合溝孔５１６は、図４に示すように、カバー本体５１の上面板５１１において、左右前後に離間した４箇所に形成され、前後方向に所定長さ延びて形成され、カバー本体５１の上面板５１１を溝状に貫通する。４つの爪係合溝孔５１６には、センサ窓天面板５２の下面５２ｂに形成される４つの下面係合部５２２（後述）が係合する。
【００４７】
センサ窓天面板５２は、図４に示すように、カバー部材５の最上部において、カバー本体５１の上面板５１１の上面５１１ａに取り付けられる。センサ窓天面板５２は、図５に示すように、平面視で（上方側から視た場合に）、カバー本体５１の上面板５１１の上面５１１ａと略同一の形状に形成される。センサ窓天面板５２は、板状に形成され、平面視で（上方側から視た場合に）略長方形状に形成されると共に、四隅が円弧状に形成されている。センサ窓天面板５２は、手かざし用センサ４２１のセンサ窓としての機能を有する。
【００４８】
センサ窓天面板５２は、カバー本体５１の上面板５１１の上面５１１ａの全部を覆って配置される。つまり、センサ窓天面板５２がカバー本体５１の上面板５１１の上面５１１ａに取り付けられた状態においては、上方側からは、カバー本体５１の上面５１１ａは見えない状態で、カバー本体５１の上面板５１１の上面５１１ａの全部が、センサ窓天面板５２に覆われている。
【００４９】
センサ窓天面板５２の下面５２ｂには、図６に示すように、下方に突出する４つの下面係合部５２２（係合部）が形成される。４つの下面係合部５２２は、センサ窓天面板５２の下面５２ｂにおいて、カバー本体５１の上面板５１１の４つの爪係合溝孔５１６に対応した位置の左右前後に離間した４箇所に形成される。４つの下面係合部５２２は、それぞれ、センサ窓天面板５２の下面５２ｂから爪係合溝孔５１６を通って下方に延出する延出部５２２ａ（延出部）と、延出部５２２ａの下端に形成される下端係合爪部５２２ｂ（爪）と、を有する。下端係合爪部５２２ｂは、延出部５２２ａの下端において、センサ窓天面板５２の左右方向の中央側に突出する。下端係合爪部５２２ｂは、カバー本体５１の上面板５１１の下面５１１ｂに引っ掛かる。図７に示すように、４つの下面係合部５２２は、カバー本体５１の上面板５１１にセンサ窓天面板５２を取り付ける際に、４つの爪係合溝孔５１６に係合される。
【００５０】
センサ窓天面板５２の上面５２ａの左右方向の略中央において、前後方向の略中央及び手前側には、図５に示すように、使用者の手（対象物）を所定の位置に案内させる操作情報５２１ａ（表示部）が設けられている。操作情報５２１ａは、手かざし用センサ４２１を構成する発光素子４２１ａ（発光部）及び受光素子４２１ｂ（受光部）と隣り合いつつ、平面視で（センサ窓天面板５２を上方側から視た場合に）手かざし用センサ４２１（発光素子４２１ａ及び受光素子４２１ｂ）に対して右側にずれた位置に配置されている。詳細には、操作情報５２１ａは、発光素子４２１ａの出射方向に視た場合に、発光素子４２１ａに対してずれた位置に配置されると共に、受光素子４２１ｂに反射光が戻る場合における反射方向に視た場合に、受光素子４２１ｂに対してずれた位置に配置される。
【００５１】
本実施形態では、操作情報５２１ａとして、例えば、水の流れ（渦巻き）を示すピクトグラム（絵文字）及び「手をかざしてください」、「Ｐｌａｃｅ  ｙｏｕｒ  ｈａｎｄ  ｏｖｅｒ  ｔｈｅ  ｓｅｎｓｏｒ．」と記載された文字が示されている。また、これらの操作情報５２１ａの後方（図４の紙面の右上方）には、「流す」、「Ｆｌｕｓｈ」の文字が記載されている。
【００５２】
このように構成されるフラッシュバルブ装置１においては、使用者が操作情報５２１ａの上方に手をかざすと、発光素子４２１ａから出射された出射光が、使用者の手（対象物）に当たって反射して、受光素子４２１ｂが反射光を受光する。受光素子４２１ｂは、反射光に基づいて検知信号を制御部（図示せず）に送信する。制御部は、出力信号を洗浄機構（図示せず）に送信する。洗浄機構は、出力信号に基づいてポンプ等を作動させ、洗浄水を流出する。
【００５３】
また、使用者が退出する場合には、人体検知センサ４１２（図３参照）の発光素子４１２ａから出射された出射光が、使用者に当たって反射して、人体検知センサ４１２の受光素子４１２ｂが使用者に当たって反射した反射光を受信する。人体検知センサ４１２の受光素子４１２ｂは、受信した反射光に基づいて検知信号を制御部（図示せず）に送信する。制御部は、出力信号を洗浄機構（図示せず）に送信する。洗浄機構は、出力信号に基づいてポンプ等を作動させ、洗浄水を流出する。
【００５４】
以上のフラッシュバルブ装置１においては、手かざし用センサ４２１の上方に配置されたセンサ窓天面板５２に表示された操作情報５２１ａは、平面視で（センサ窓天面板５２を上方側から視た場合に）手かざし用センサ４２１の右側にずれた位置に配置されている。よって、操作情報５２１ａは、平面視で（センサ窓天面板５２を上方側から視た場合に）手かざし用センサ４２１と重なって配置されていないため、発光素子４２１ａから出射される出射光が操作情報５２１ａで遮断されずに、出射光は操作情報５２１ａの上方でかざされた使用者の手（対象物）まで到達する。更に、操作情報５２１ａは、平面視で（センサ窓天面板５２を上方側から視た場合に）手かざし用センサ４２１と重なって配置されていないため、出射光が使用者の手（対象物）に当たって反射される反射光が操作情報５２１ａで遮断されずに受光素子４２１ｂに到達する。したがって、手かざし用センサ４２１は手を的確に検知することができる。
【００５５】
以上説明した本実施形態に係るフラッシュバルブ装置１によれば、以下のような効果を奏する。
本実施形態のフラッシュバルブ装置１は、フラッシュバルブ装置１は、上方に向けて光を出射する手かざしセンサ４２１と、手かざしセンサ４２１を覆うように配置される筒状のカバー本体５１であって、手かざしセンサ４２１の上方に配置される上面板５１１を有するカバー本体５１と、手かざしセンサ４２１のセンサ窓としての機能を有し、カバー本体５１の上面板５１１の上面５１１ａの全部を覆って配置されるセンサ窓天面板５２と、を備える。これにより、センサ窓としての機能を有するセンサ窓天面板５２を取り付ける部分にゴミが溜まることを抑制することができる。また、カバー部材５の上面板５１１の上面５１１ａにセンサ窓としての機能を有するセンサ窓天面板５２を取り付けても、センサ窓天面板５２とカバー本体５１の上面板５１１との間に隙間が存在しないため、意匠性を向上できる。
【００５６】
また、本実施形態においては、センサ窓天面板５２の下面５２ｂには、カバー本体５１と係合する下面係合部５２２が形成される。これにより、センサ窓天面板５２は、下面係合部５２２においてカバー本体５１と係合させるだけでカバー本体５１にセンサ窓天面板５２取り付けることができるため、カバー本体５１にセンサ窓天面板５２取り付ける際の作業性を向上できる。また、センサ窓天面板５２は、下面係合部５２２においてカバー本体５１と係合するため、カバー本体５１から脱落しにくい。
【００５７】
また、本実施形態においては、カバー本体５１の上面板５１１には、爪係合溝孔５１６が形成され、下面係合部５２２は、センサ窓天面板５２の下面５２ｂから爪係合溝孔５１６を通って下方に延出する延出部５２２ａと、延出部５２２ａの下端に形成されカバー本体５１の上面板５１１の下面５１１ｂに引っ掛かる下端係合爪部５２２ｂと、を有する。
【００５８】
そのため、センサ窓天面板５２をカバー本体５１に取り付ける場合に、カバー本体５１の上面板５１１の下面５１１ｂに、延出部５２２ａを爪係合溝孔５１６に通らせて、下端係合爪部５２２ｂを引っ掛けるだけで、センサ窓天面板５２の下面係合部５２２をカバー本体５１に係合できるため、センサ窓天面板５２をカバー本体５１に取り付ける際の作業性が良好である。また、センサ窓天面板５２をカバー本体５１から取り外す場合に、カバー本体５１をブラケット３から取り外した状態で、カバー本体５１の上面板５１１の下面５１１ｂから、カバー本体５１の上面板５１１の下面５１１ｂに引っ掛かった下端係合爪部５２２ｂを外すだけで、センサ窓天面板５２をカバー本体５１から取り外すことができるため、センサ窓天面板５２をカバー本体５１から取り外す際の作業性が良好である。
【００５９】
また、本実施形態においては、センサ窓天面板５２の上面５２ａには、操作情報５２１ａが設けられ、操作情報５２１ａは、平面視で、手かざし用センサ４２１を構成する発光素子４２１ａ及び受光素子４２１ｂに対してずれた位置に配置される。これにより、操作情報５２１ａは、平面視で（センサ窓天面板５２を上方側から視た場合に）手かざし用センサ４２１と重なって配置されていないため、発光素子４２１ａから出射された出射光が操作情報５２１ａで遮断されずに、出射光は操作情報５２１ａの上方でかざされた使用者の手（対象物）まで到達し、かつ、使用者の手（対象物）に当たって反射される反射光が操作情報５２１ａで遮断されずに受光素子４２１ｂに到達する。したがって、手かざし用センサ４２１は手を的確に検知することができる。
【００６０】
本発明は上記実施形態に限定されるものではなく、本発明の目的を達成できる範囲での変形、改良等は本発明に含まれる。
例えば、前記実施形態では、センサ窓天面板５２をカバー本体５１の最も高い位置に配置される上面板５１１の上面５１１ａの全部を覆うように配置した。しかし、カバー本体５１の上部に段差や凹凸がある場合などに、カバー本体５１の上部に複数の上面が存在する場合がある。このような場合には、カバー本体の上面は、最も高い位置に配置される上面に限定されない。カバー本体の上面は、手かざし用センサの上方に配置される上面であればよく、カバー本体５１が複数の上面を有する場合には、カバー本体の複数の上面のうち、手かざし用センサの上方に配置される上面板の上面の全部を、上面パネル（センサ窓天面板）が覆うように配置すればよい。
【符号の説明】
【００６１】
１  フラッシュバルブ装置
５１  カバー本体
５２  センサ窓天面板（上面パネル）
５２ａ  上面
５２ｂ  下面
４２１  手かざし用センサ（センサ）
４２１ａ  発光素子（発光部）
４２１ｂ  受光素子（受光部）
５１１  上面板
５１１ａ  上面
５１１ｂ  下面
５１６  爪係合溝孔（孔）
５２１ａ  操作情報（表示部）
５２２  下面係合部（係合部）
５２２ａ  延出部
５２２ｂ  下端係合爪部（爪）
【図１】
2019190195.tif 000003
【図２】
2019190195.tif 000004
【図３】
2019190195.tif 000005
【図４】
2019190195.tif 000006
【図５】
2019190195.tif 000007
【図６】
2019190195.tif 000008
【図７】
2019190195.tif 000009